(57)【要約】【課題】  従来の冷蔵庫扉内板は、成形時型離型時無理抜き状態ではメクレ、反り又はヒネレ等が生じ抗品質の成形品を得ることができないという課題があった。【解決手段】  この発明は、扉外板とで冷蔵庫扉本体を形成する扉内板であって、前記扉内板はポケット部を挟持する側壁部と、前記扉内板の裏面にあって前記側壁部の裏面中空肉盗み部と、この中空肉盗み部を多数分割するように所定間隔で設けた駒倒れリブ部と、前記扉外板と扉内板との間に発泡充填される断熱材を食付かせるアンダーカット挿入部を複数設けた内板平面部と、前記裏面中空肉盗み部を有する側壁部の外周縁部に設けたガスケット保持溝部とを合成樹脂材により一体に成形したことを特徴とする冷蔵庫扉内板。バランスの良い【選択図】        図１
2007008113.tif 000002
【特許請求の範囲】
【請求項１】
扉外板とで冷蔵庫扉本体を形成する扉内板であって、前記扉内板はポケット部を挟持する側壁部と、前記扉内板の裏面にあって前記側壁部の裏面中空肉盗み部と、この中空肉盗み部を多数分割するように所定間隔で設けた駒倒れリブ部と、前記扉外板と扉内板との間に発泡充填される断熱材を食付かせるアンダーカット挿入部を複数設けた内板平面部と、前記裏面中空肉盗み部を有する側壁部の外周縁部に設けたガスケット保持溝部とを合成樹脂材により一体に成形したことを特徴とする冷蔵庫扉内板。
【請求項２】
前記扉内板の側壁部に形成されるポケット部高さ寸法を、成形後前記扉内板を突出す傾斜スライド突出具の幅寸法より幅広としたことを特徴とする請求項１記載の冷蔵庫扉内板。
【請求項３】
発泡充填される断熱材を食付かせるアンダーカット挿入部は扉内板平面部に設けたことを特徴とする請求項１記載の冷蔵庫扉内板。
【請求項４】
ガスケット保持溝部の肉厚を一部薄肉形としたことを特徴とする請求項１記載の冷蔵庫扉内板。
【請求項５】
ゲート金型と突出金型とを有する射出成形金型において、前記突出金型側には、傾斜スライド突出具、角ピン突出しバー、エジェクタブロック突出しバー等を連動させて突上げる突出具支持プレートを設けると共に、前記角ピン突出しバー、エジェクタブロック突出しバー等の突出し距離を調整する突出し調整ボルトをそれぞれ備え、ゲート金型側にはゲート金型取付板、ランナーストリッパプレートとゲート金型との離脱時、水平方向にスライド移動するカム式スライド具を静止状態に保持するスライドバックアップブロック及びアンギュラカムを設けたことを特徴とする冷蔵庫扉内板の成形金型装置。
【請求項６】
傾斜スライド突出具は、内板面平面に２°以上の角度を付けて面接触させたことを特徴とする請求項５記載の冷蔵庫扉内板の成形金型装置。
【請求項７】
前記傾斜スライド突出具の幅寸法を扉内板に配置したポケット高さより幅狭の寸法としたことを特徴とする請求項５記載の冷蔵庫扉内板の成形金型装置。
【請求項８】
前記突出金型の製品意匠面の傾斜スライド突出具は摺動部の油が製品面に出ない油溝部を設けたことを特徴とする請求項５に記載の冷蔵庫扉内板の成形金型装置。
【請求項９】
スライド構造とガイドレールやアンギュラカムなどの調整ができると共に調整時間も短くする固定ボルトの取付け取り外し自在の逃がし穴をゲート金型取付板に設けたことを特徴とする請求項５記載の冷蔵庫扉内板の成形金型装置。
【請求項１０】
扉外板とで冷蔵庫扉本体を形成する扉内板であって、前記扉内板はポケット部を挟持する側壁部と、前記扉内板の裏面にあって前記側壁部の裏面中空肉盗み部と、この中空肉盗み部を多数分割するように所定間隔で設けた駒倒れリブ部と、前記扉外板と扉内板との間に発泡充填される断熱材を食付かせるアンダーカット挿入部を複数設けた内板平面部と、前記裏面中空肉盗み部を有する側壁部の外周縁部に設けたガスケット保持溝部とを合成樹脂材により一体成形した扉内板を得ることを特徴とする冷蔵庫扉内板の成形方法。
【請求項１１】
冷蔵庫扉内板の側壁部に形成されるポケット部高さ寸法を、成形後扉内板を突出すを傾斜スライド突出具の幅寸法より幅広としたことを特徴とする請求項９記載の冷蔵庫扉内板の成形方法。
【請求項１２】
ガスケット保持溝部の肉厚を一部薄肉形としたことを特徴とする請求項９記載の冷蔵庫扉内板の成形方法。
【請求項１３】
発泡充填される断熱材を食付かせるアンダーカット挿入部は扉内板平面部の四隅近傍に設け、かつ水平方向にスライド移動するカム式スライド具を静止状態に保持するスライドバックアップブロック及びアンギュラカムを移動調整すると共に、前記スライド移動するカム式スライド具をゲート側入れ子を取付け取外し調整してアンダーカット挿入部を成形するようにしたことを特徴とする請求項９記載の冷蔵庫扉内板の成形方法。
【請求項１４】
逃がし穴をゲート金型取付板に設け、スライド構造とガイドレールやアンギュラカムなどの固定ボルトの調整ができるようにすると共に取付け取り外し自在したことを特徴とする請求項９記載の冷蔵庫扉内板の成形方法。
【請求項１５】
頭部上面を鏡面仕上加工した傾斜スライド突出具、角ピン突出しバー、エジェクタブロック突出しバー等を支持固定する突出具支持プレートを設けると共に、ガスケット保持溝部を無理抜きするための前記角ピン突出しバー、エジェクタブロック突出しバーを同時に突出す突出しバーを突出金型取付板に摺動自在に取付け、前記突出しバーを同一力で突上げることを特徴とする冷蔵庫扉内板の成形方法。
【発明の詳細な説明】
【技術分野】
【０００１】
この発明は、冷凍機等の冷蔵庫に使用される扉内板の成形に関する。
【背景技術】
【０００２】
従来、冷蔵庫はその本体の貯蔵室の前面を開放し、その前面解放口を閉塞する発泡樹脂からなる断熱材とから成るり、外板と内板とから構成される扉を有し、この扉には前面周縁より内部位置に断熱材埋設された電装品等を備え、扉内板は合成樹脂製の射出成形されたものがあった。（例えば、特許文献１参照）
【０００３】
また、従来例の内板はプラスチック製で、矩形状に射出成形したものであり、その外周部には外側フランジを一体に形成し、左右の両側部にそれより突出寸法の大きな断面逆Ｌ字形の内側フランジ部を、溝部を間に置いて一体に形成している。又、この内板の外周部にはガスケット挿入溝部を形成しており、このガスケット挿入溝部には口部の両側内面にガスケット止めリブを一体に形成している。そして更に、ガスケット挿入溝部の裏側には複数の突起を一体に形成している。又、内板のガスケット挿入溝部にはガスケット止めリブを形成しているが、これらの溝奥側はいわばアンダーカット部であり、その成形をした型はそれらを無理に越えて抜かれる無理抜きがされる構成がある。（例えば、特許文献２参照）
【特許文献１】特開２００４−３４７２３８号公報（３頁〜４頁、図４）
【特許文献２】特開平１０−１２２７２８号公報（３頁〜５頁、図１〜図４）
【発明の開示】
【発明が解決しようとする課題】
【０００４】
従来、冷蔵庫扉内板製造装置は以上のように構成されているので、バランスの良いゲート配置により樹脂を流し、ゲート金型にとられることなく、確実に突出金型側へ付かせて、金型構造の加工精度アップと左右前後の組立調整により不安定性を改良し、バランスの良い金型構造にする必要があったが、成形品に変形反り、アンダーカット抜き時のメクレ、食込み等の不良原因を産む要素があり問題となっていた。
【０００５】
また、製品意匠面の品質を確保するのが困難で、突出し構造、突出金型構造の共磨きによる意匠面の段差解消、成形時の境界ラインの解消、さらに、スライド具摺動面の油、カジリによりバリ不良等、数々の意匠面確保のための保修作業時間を必要とする等の問題点があった。
【０００６】
この発明は上記のような問題点を解消するためになされたもので、ゲートバランス、突出し力バランスを考慮した金型構造、組立構造などにより成形品の変形反り、突出し時のメクレ、食込み、突出し構造の駒倒れ、突出し構造の境界ライン、段差の解消などを目的とする。
【０００７】
さらに、安定して確実なウレタンとＰＰ樹脂の接着性でしかも安い装置の確立と意匠面摺動部品の油、カジリ等によりバリ不良等を無くし、数々の意匠面確保のための作業時間を短縮することを目的とする。
【課題を解決するための手段】
【０００８】
この発明の冷蔵庫扉内板は、扉外板とで冷蔵庫扉本体を形成する扉内板であって、前記扉内板はポケット部を挟持する側壁部と、前記扉内板の裏面にあって前記側壁部の裏面中空肉盗み部と、この中空肉盗み部を多数分割するように所定間隔で設けた駒倒れリブ部と、前記扉外板と扉内板との間に発泡充填される断熱材を食付かせるアンダーカット挿入部を複数設けた内板平面部と、前記裏面中空肉盗み部を有する側壁部の外周縁部に設けたガスケット保持溝部とを合成樹脂材により一体に成形したものである。
【０００９】
また、この発明の冷蔵庫扉内板の成形金型装置は、ゲート金型と突出金型とを有する射出成形金型において、前記突出金型側には、傾斜スライド突出具、角ピン突出しバー、エジェクタブロック突出しバー等を連動させて突上げる突出具支持プレートを設けると共に、前記角ピン突出しバー、エジェクタブロック突出しバー等の突出し距離を調整する突出し調整ボルトをそれぞれ備え、ゲート金型側にはゲート金型取付板、ランナーストリッパプレートとゲート金型との離脱時、水平方向にスライド移動するカム式スライド具を静止状態に保持するスライドバックアップブロック及びアンギュラカムを設けたものである。
【００１０】
また、この発明の冷蔵庫扉内板の成形方法は、扉外板とで冷蔵庫扉本体を形成する扉内板であって、前記扉内板はポケット部を挟持する側壁部と、前記扉内板の裏面にあって前記側壁部の裏面中空肉盗み部と、この中空肉盗み部を多数分割するように所定間隔で設けた駒倒れリブ部と、前記扉外板と扉内板との間に発泡充填される断熱材を食付かせるアンダーカット挿入部を複数設けた内板平面部と、前記裏面中空肉盗み部を有する側壁部の外周縁部に設けたガスケット保持溝部とを合成樹脂材により一体成形した扉内板を得るものである。
【発明の効果】
【００１１】
この発明の冷蔵庫扉内板は、扉外板とで冷蔵庫扉本体を形成する扉内板であって、前記扉内板はポケット部を挟持する側壁部と、前記扉内板の裏面にあって前記側壁部の裏面中空肉盗み部と、この中空肉盗み部を多数分割するように所定間隔で設けた駒倒れリブ部と、前記扉外板と扉内板との間に発泡充填される断熱材を食付かせるアンダーカット挿入部を複数設けた内板平面部と、前記裏面中空肉盗み部を有する側壁部の外周縁部に設けたガスケット保持溝部とを合成樹脂材により一体に成形した構成としたから、樹脂を軽く注入することで成形品の残留歪などによる反り、ヒネレ防止し、外周側面壁の倒れをするために製品意匠性を考慮の上、倒れ防止のリブ形状を設けることで壁を支えて反りを防止すると共に成形性も良くなり、それによりゲート金型中空部肉盗み駒をリブ形状から樹脂が流れることで、駒を挟んで左右から挟み込み樹脂が流れることで外周一体構造の強度アップされた肉盗み駒の更なる駒倒れ防止に貢献させている。
【００１２】
また、この発明の冷蔵庫扉内板の成形金型装置は、ゲート金型と突出金型とを有する射出成形金型において、前記突出金型側には、傾斜スライド突出具、角ピン突出しバー、エジェクタブロック突出しバー等を連動させて突上げる突出具支持プレートを設けると共に、前記角ピン突出しバー、エジェクタブロック突出しバー等の突出し距離を調整する突出し調整ボルトをそれぞれ備え、ゲート金型側にはゲート金型取付板、ランナーストリッパプレートとゲート金型との離脱時、水平方向にスライド移動するカム式スライド具を静止状態に保持するスライドバックアップブロック及びアンギュラカムを設けた構成としたから、ゲートバランス、突出し力バランスを考慮した金型構造を提供でき、かつ組立構造などにより成形品の変形反り、突出し時のメクレ、食込み、突出し構造の駒倒れ、突出し構造の境界ライン、段差等を解消できる効果を有する。
【００１３】
また、この発明の冷蔵庫扉内板の成形方法は、扉外板とで冷蔵庫扉本体を形成する扉内板であって、前記扉内板はポケット部を挟持する側壁部と、前記扉内板の裏面にあって前記側壁部の裏面中空肉盗み部と、この中空肉盗み部を多数分割するように所定間隔で設けた駒倒れリブ部と、前記扉外板と扉内板との間に発泡充填される断熱材を食付かせるアンダーカット挿入部を複数設けた内板平面部と、前記裏面中空肉盗み部を有する側壁部の外周縁部に設けたガスケット保持溝部とを合成樹脂材により一体成形した扉内板を得るようにしたから、ゲートバランスを良くすることで型開き時のゲート金型のとられをなくし、突出し側ガスケット挿入溝アンダーカット形状などのメクレ、変形を防止し、成形機エジェクタロットのバランス良い配置と突出し時のバランス良い突出し構造による突出しとアンダーカット形状の十分な磨き仕上により突出しよるガスケット挿入溝アンダーカット形状のメクレ変、肉厚部への食込みや成形品外周の反りをなくずことができる効果を有する。
【発明を実施するための最良の形態】
【００１４】
実施の形態１．
以下、この発明の実施の形態１による冷蔵庫扉内板を説明する。図１はこの発明の実施の形態１による冷蔵庫扉を示す斜視図、図２はこの発明の実施の形態１による冷蔵庫扉の要部を示す拡大断面図、図３はこの発明の実施の形態１による冷蔵庫扉内板を示す裏面から見る斜視図、図４はこの発明の実施の形態１による冷蔵庫扉内板の成形品を示す要部拡大断面図、図５はこの発明の実施の形態１による冷蔵庫扉内板の金型を示す要部断面図、図６はこの発明の実施の形態１による冷蔵庫扉内板の金型を示す要部拡大断面図、図７はこの発明の実施の形態１による冷蔵庫扉内板成形金型の突出し具を示す平面図、図８はこの発明の実施の形態１による冷蔵庫扉内板成形金型の他の突出し具を示す平面図、図９はこの発明の実施の形態１による冷蔵庫扉内板成形金型を示す動作説明図、図１０はこの発明の実施の形態１による冷蔵庫扉内板成形金型の動作フローチャート、図１１は冷蔵庫扉内板成形金型の突出金型側の突出し部材要部拡大図、図１２は冷蔵庫扉内板成形金型の突出金型側の突出し動作説明図、図１３は冷蔵庫扉内板成形金型のゲート側スライド部材要部断面図、図１４は冷蔵庫扉内板成形金型のゲート側スライド部材動作説明図、図１５は冷蔵庫扉内板成形金型のゲート側スライド部材の治具調整状態説明図である。
【００１５】
図において、冷蔵庫扉本体１は、板金製で取手（図示されていない）および額縁状の縁部２からなる扉外板３と、冷蔵庫本体（図示されていない）の内側に向けて形成される合成樹脂製の扉内板４と、これら扉外板３と扉内板４との間に発泡成形される発泡ウレタン樹脂からなる断熱材５から構成されている。前記扉内板４は、その縁部に前記冷蔵庫本体（図示されていない）との間で気密状態保持するガスケット６備え、扉内板４の強度も保ち、かつ扉内板４側に小物食品、ペットボトル等の飲食物品を収納するポケット部７を複数設けている。
【００１６】
また、前記合成樹脂製の扉内板４の成形は、射出成形により成形されており、内板平面部４ａと、その平面部４ａを挟むようにポケット装着部４ｂと、前記ガスケット６を嵌着保持させるガスケット保持溝部４ｃとを形成し、さらに、前記ポケット装着部４ｂの表面には、前記ポケット部７を保持するポケット凸部４ｄを備え、裏部には内板中空肉盗み部４ｅ及び駒倒れリブ部４ｆを設け、また、前記内板平面部４ａの裏面には前記断熱材５である発泡ウレタン樹脂を発泡する際、扉内板４を強固に食いつかせるアンダーカット挿入部４ｇを裏面四隅へ均等に複数形成している。
【００１７】
前記ガスケット保持溝部４ｃはガスケット６を挟持する１対のガスケット食込み片４ｈとこのガスケット食込み片４ｈの相対する間の寸法Ｂより幅広の寸法Ｃを有する胴体部４ｉと、前記胴体部ｉのガスケット６肉厚より薄肉の肉寸法Ａの底平面部ｊとから形成されている。また、前記駒倒れリブ部４ｆは、前記ポケット装着部４ｂの裏面付近に位置するようそれぞれ配置されている。
【００１８】
次に、前記扉内板４を成形する成形金型について、構成を説明する。扉内板４を成形する成形金型８は、成形品の合成樹脂を注入する側のゲート金型部８ａと、成形品を成形後型から突出して型から成形品を離す側の突出金型部８ｂとから構成され、それぞれ前記ゲート金型部８ａと突出金型部８ｂには前記扉内板成形品近傍に沿って型をそれぞれ冷却する冷却水を流す冷却回路（図示されていない）を備えている。前記ゲート金型部８ａは、ゲート側金型本体８ｃとランナーストリッパプレート８ｄと、前記ゲート側金型本体８ｃを取付けるゲート側金型取付板９と、から構成されている。前記ゲート側金型取付板９には樹脂注入用の湯道となるピンゲート１０ａを備えたランナー１０を固定するランナーロックピン１０ｂとコイルスプリング１１ａで摺動可能にされるゲート側カム式スライド具１１ｂを静止状態に保持するスライドバックアップブロック１１及びアンギュラカム１２を固定用ボルト１３で固定し、かつ前記ゲート金型部８ａに固定されるガイドレール１４及び入れ子１５を固定する固定用第２ボルト１６を取り外し易くする逃がし穴１７を設けている。
【００１９】
次に、前記突出金型部８ｂは、突出金型取付板１８上にガスケット保持溝成形片８ｆを備えた突出金型本体８ｅを支持している支持脚１９と、頭部上面を鏡面仕上加工された傾斜スライド突出具２０と、成形品の特に、ガスケット保持溝部４ｃを無理抜きするための角ピン突出具２１及びエジェクタブロック突出具２２を固定用第３ボルト２３により支持固定し、前記突出金型取付板１８より前記角ピン突出具２１及びエジェクタブロック突出具２２に均等な突出力を発生させるように複数設けられた突出しバー２４により突出す突出しストロークＥ寸法を、前記支持脚１９で確保された突出具支持プレート２５から構成されている。
【００２０】
前記傾斜スライド突出具２０は、前記ポケット部７を扉内板４に装着支持させるポケット凸部４ｄを成形する取付け凹部２０ａを抜きながら成形品を突き出す役割を持ち、カジリによるバリ不良を無くすために高精度の光沢がでるレベルまで磨いた上面を鏡面仕上加工されたスライド頭部２０ｂと、摺動部２０ｃの油溝２０ｄを設け、かつ前記摺動部２０ｃ内を左右に摺動自在に摺動レール部２０ｅに固定された溝付突出しバー２０ｆ、と左右前後に突出具ガイドブロック２６により前記溝付突出しバー２０ｆの中央付近に精度良く位置決め設定された高精度金型構造で組立調整され、製品面付近にはあるポイントを基点に約２°以上の勾配をつけて合わせてある。
【００２１】
前記突出具支持プレート２５に固定されている角ピン突出具２１及びエジェクタブロック突出具２２は、それぞれ頭部に角ピン２１ａ、エジェクタブロック２２ａを持ち突出し調整バー２１ｂ、２２ｂにより前記突出具支持プレート２５に調整固定されている。この角ピン突出具２１の突出し調整バー２１ｂとエジェクタブロック突出具２２の突出し調整バー２２ｂは、突出金型取付板１８にそれぞれ設けられた調整穴１８ａから固定用第３ボルト２３を動かすように調整可能となっているとともに、前記突出し調整バー２１ｂおよび２２ｂが突出具ガイドブロック２６により、各バーの中央付近に前後左右を位置決め設置したある。
【００２２】
次に図９に示すこの発明の実施の形態１による冷蔵庫扉内板成形金型の動作説明図および図１０に示すこの発明の実施の形態１による冷蔵庫扉内板成形金型の動作フローチャートにより扉内板成形後の扉内板成形品の金型からの取出し説明する。図において、ステップＳ１でスタートし、ステップＳ２は、バランス良い配置のピンゲート１６より成形樹脂を軽く注入し残留応力の少ない扉内板４成形品が完成する段階となる。この段階では扉内板４成形品の金型内近傍に設けられている冷却回路（図示されていない）中を冷却水を流すことによって金型を冷却し短時間の扉内板成形品からの離開をうながすようにしてある。
【００２３】
次に、ステップＳ３では、図９（ａ）（ｂ）に図示されているようにゲート金型取付板９、ランナーストリッパプレート８ｄと、ゲート金型８ｃとを上下に開くように離脱させる段階となる。この段階では、ゲート金型取付板９が成形機に固定された状態でランナーストリッパプレート８ｄとゲート金型８ｃとの間が開く段階で、ゲート金型取付板９に固定されているゲート側アンギュラカム１２とゲート側スライドストローク確保のスライドバックアップブロック１１が連動して上方に動く。次に、ステップＳ４では、ゲート側カム式スライド具１１ｂが前記ランナーストリッパプレート８ｄと、ゲート金型８ｃとが上下に開くように離脱するのと連動して動き扉内板４のゲート金型側のウレタン食いつきアンダーカット挿入部４ｇから抜ける段階となる。
【００２４】
また、この段階では、補助的にゲートカム式スライド具１１ｂ内部にコイルスプリング１１ａを内臓させてゲート側アンギュラカム１２を設けて併用する場合もある。または、図９（ｂ）に図示されているようにゲート金型取付板９、ランナーストリッパプレート８ｄとを上下方向に開くように離脱させる。次に、ゲート側スライド具１１ｂはガイドレール１４により摺動固定され、ゲート側スライド具１１ｂの調整もゲート側入れ子小１５の取り外しも、ゲート金型取付板９やランナーストリッパプレート８ｄに固定用ボルト１３の取り外し可能の逃がし穴１７を設けることで容易にできる構造である。
【００２５】
その後、図９（ｃ）に示すようにステップＳ５で、ゲート金型本体８ｃと突出金型本体８ｅの間の面が上下に離脱する段階となり、扉内板４成形品は、突出金型部８ｂにはポケット取付凹部２０ａと扉内板製品外周に設けたガスケット保持部成形部８ｆにより、ゲート金型本体８ｃに成形品がとられることなく、確実に突出金型本体８ｅへ付かせることができる。
【００２６】
その後、図９（ｄ）に示すようにステップＳ６で、突出金型部８ｂ側の複数の突出しバー２４を同時に平均した同一の突上げ力により上方に突き上げると、ステップＳ７においては、突出しバー２４に支持されている傾斜スライド具２０、角ピン突出しバー２１およびエジェクタブロック突出しバー２２が、これも平均した同一の突上げ力により上方に移動し、扉内板４のガスケット保持溝部４ｃを無理抜き状態にして突出金型本体８ｅから離脱し、ステップＳ８で扉内板４成形品として取出せばステップＳ９で終了となるものである。
【００２７】
以上により型開きが完了して、成形機からバランスよく配置された突出しバー２４が押し出され、エジェクタプレート２５が全体的にバランス良く動き、傾斜スライド具２０と角ピン突出しバー２１、エジェクタブロック突出しバー２２がバランス良く成形品を押し出して取り出す。
【００２８】
この扉内板成形後の各金型をスムーズに摺動させて扉内板４を取出すために、種々の調整をし易く治具等を配置してある。例えば、ゲート金型１のスライド具の摺動調整などが容易にできるようにゲート金型取付板側９からゲート金型８ｃを解体しないで、固定ボルト１３の取り外しが可能な逃がし調整穴１７を設けて、製品面側にゲート側入れ子１５を配置して、各固定用第２ボルト１６を取り外すことで、スライド具１４とガイドレール１１ｂやアンギュラカム１２などの調整ができると共に調整時間も短縮できる。
【００２９】
また、突出金型部８ｂの傾斜スライド具２０は製品面平面から４面に製品形状高さプラス１０ｍｍまで２°以上の角度を付け、その４面で最終的に当り、その他の面は摺動しないため油は付けない。２°以上面以降の４面は摺動するので油溝加工などを対策処理されている。これにより摺動時の摩擦によるカジリを防止する。また、エジェクタブロック２２と角ピン２１、図８に示す丸ぴん２１ｂ、ストリッパプレート２２ｂの突出しバーの関係は製品面平面から４面にボルトのザグリ穴と突き出しバーの位置決め溝深さの関係からＤ寸法を２５ｍｍ以上の厚みを確保して、２°以上の角度を付け、その４面で最終的に当り、その他の面は摺動するので油溝加工などの対策が必要である。これにより摺動時の摩擦によるカジリを防止することができる。
【００３０】
また、突出金型本体８ｅの傾斜スライド具２０および各突出しバーであるエジェクタブロック２２、角ピン２１、丸ぴん２１ｂ、ストリッパプレート２２ｂなどの前後左右方向の位置決め方法としてはリーマ穴や精度のある角穴で製品面近く２０ｍｍ以上を決めて、突出しピンまたは角ブロックの中間当りにガイドブロック２６で位置決めし、確実に合わせ調整をする。
【００３１】
また、上記の高さ方向の調整としては、突出金型８ｂ製品取り出し面側や突出金型取付板側１８の金型８ｅを解体せずにピンなどの長さ調整やテーパー面の当り調整可能なように調整用の穴１８ａがあいている。それにより固定用第３ボルト２３を取り外し調整が容易な金型構造である。
【００３２】
また、ピンの長さ調整には事前にマイクロメータで測定しておき、最終的には光明丹により当り調整をする。この際にエジェクタプレート２５の加工などによる反りがないか確認しておく。これらによって、調整時間も短時間ですみ、突出しバランスも良好で、後からの製品面と傾斜スライド具２０、突出しバー２１、２２の共磨きにより段差のない製品面を得ることができる。
【００３３】
以上の金型構造により、品質の安定した連続成形が可能である。また、取り出し後の油ふき取りや反り矯正作業などの後仕上作業が不要になる。また、摺動面のカジリによるバリ不良もなくなり、後のメンテ作業も不要になる。
【００３４】
図１６はこの発明の実施の形態１による冷蔵庫扉内板の他のゲート側金型を示す要部拡大断面図、図１７はこの発明の実施の形態１による冷蔵庫扉内板の他のゲート側金型を示す動作拡大断面図である。図では、ゲート金型部８ａは、ゲート側金型本体８ｃとランナーストリッパプレート８ｄと、前記ゲート側金型本体８ｃを取付けるゲート側金型取付板９と、から構成されている。前記ゲート側金型取付板９には樹脂注入用の湯道となるピンゲート１０ａを備えたランナー１０を固定するランナーロックピン１０ｂとコイルスプリング１１ａで摺動可能にされるゲート側カム式スライド具１１ｂを静止状態に保持するスライドバックアップブロック１１を固定用ボルト１３で固定し、かつ前記ゲート金型本体８ｃに固定されるガイドレール１４及び入れ子１５を固定する固定用第２ボルト１６を取り外し易くする逃がし穴１７を設けている。
【００３５】
前記コイルスプリング１１ａのみを使用してランナーストリッパプレート８ｄを離開する場合には、アンダーカット挿入部４ｇの量によりゲート側スライド具１１ｂを動かすもので、ゲート金型取付板９、ランナーストリッパプレート８ｄとを上下方向に開くように離脱させる。次に、ゲート側スライド具１１ｂはガイドレール１４により摺動固定され、ゲート側スライド具１１ｂの調整もゲート側入れ子１５の取り外しも、ゲート金型取付板９やランナーストリッパプレート８ｄに固定用ボルト１６の取り外し可能の逃がし穴１７を設けることで容易にできる構造である。
【００３６】
図１８はこの発明の実施の形態１による他の扉内板成形装置のホットランナーゲート仕様を示す２プレート金型構造図、図１９はこの発明の実施の形態１による他の扉内板成形装置のピンゲート仕様を示す３プレート金型構造図である。まず、図１８は示す冷蔵庫扉内板金型ホットランナーゲート２プレート金型構造図で、ゲート側スライド構造の断面図と動作図である。図において、バランス良い配置のホットランナーゲート（図示されていない）より樹脂を軽く注入し、残留応力の少ない内板成形品が完成する。その後、ゲート金型８ｃと突出金型８ｅの間の面が開く動作に連動して動く、ゲート金型突出しプレート２７を引っ張る引っ張り具２８を設けることで、ゲート金型突出しプレート２７にゲート金型８ｃの扉内板４とウレタンを食いつかせるアンダーカット挿入部４ｇが抜ける方向に動くスライダー駒２９は、ゲート金型突出しプレート２７にボルト（図示していない）により固定してある駒ガイドレール３０で押え込まれて位置決めされている。前記スライダー駒２９とゲート側傾斜スライド具３１が固定ボルト３０ａで固定されているので、ゲート金型突出しプレート２７が動かされるとスライダー駒２９が動き、それに伴いゲート側傾斜スライド具３１も斜め方向に突き上げられてアンダーカット挿入部４ｇが抜ける。
【００３７】
その際に、ゲート金型突出しプレート２７がゲート金型スペーサーブロック３２で保持構成されるゲート金型突出しプレート２７面とゲート金型８ｃ面の間のストロークスペースＦ寸法を動いた後、引っ張り２８が外れて、それ以上ゲート金型突出しプレート２７を引っ張ることはなく、突出金型８ｅが動いていく。また、ゲート金型突出しプレート２７はガイドピン（図示されていない）を数箇所バランス良く設けて、それに沿って動く構造である。ゲート側傾斜スライド具３１は突出金型８ｅが動き金型が閉まっていくと、突出金型８ｅが、ゲート側傾斜スライド具３１に接触する前に引っ張り具２８が当りゲート側傾斜スライド具３１を動かし、製品面に当ることなく所定の位置まで戻る構造である。また、この金型はホットランナーゲート（図示されていない）が溶融状態になっているので湯道などの取り出しは不要である。
【００３８】
図１９は冷蔵庫扉内板金型ピンゲート３プレート金型構造のゲート側傾斜スライド構造の断面図と動作図である。図において、ゲート金型取付板９が成形機に固定された状態でランナーストリッパプレート８ｄとゲート金型８ｃの間が開くと共に前記ランナーストリッパプレート８ｄがゲート金型突出しプレート２７と同じ役割を果たし、ゲート側傾斜スライド具３１を動かし、扉内板４とウレタンを食いつかせるアンダーカット挿入部４ｇから抜ける。また、型閉めの際は突出金型８ｅが動き閉まっていくと、先にスライド戻し具３３が先に当り、ゲート側傾斜スライド具３１などを所定の位置に戻しながら閉まっていくものである。
【００３９】
図２０はこの発明の実施の形態１による冷蔵庫扉内板成形金型の他のゲート側スライド構造を示す要部動作説明図である。図において、油圧または空圧シリンダーを使用して、ホットランナーゲート仕様の場合は金型構造が２プレート構造で、ゲート金型８ｃと突出金型８ｅが開く前に、バックアップブロック側シリンダー３４が上下作動してゲート側スライドストローク確保のバックアップブロック１１を引っ張り上げ、動作完了後にゲート側スライド具シリンダー３５が前進作動してゲート側スライド具１４を押し出して動かし、扉内板４ウレタン食いつき用アンダーカット４ｇから抜ける。また、元に戻す際にはゲート金型８ｃと突出金型８ｅが閉まる前でも閉まり後どちらでも可能であるが、ゲート側スライド具シリンダー３５を後退動作後、バックアップブロック側シリンダー３４を降下動作させてゲート側スライド具１４やバックアップブロック１１を定位置に戻すものである。
【図面の簡単な説明】
【００４０】
【図１】この発明の実施の形態１による冷蔵庫扉を示す斜視図である。
【図２】この発明の実施の形態１による冷蔵庫扉の要部を示す拡大断面図である。
【図３】この発明の実施の形態１による冷蔵庫扉内板の裏面を示す斜視図である。
【図４】この発明の実施の形態１による冷蔵庫扉内板を示す要部拡大断面図である。
【図５】この発明の実施の形態１による冷蔵庫扉内板成形金型を示す要部断面図である。
【図６】この発明の実施の形態１による冷蔵庫扉内板成形金型を示す要部拡大断面図である。
【図７】この発明の実施の形態１による冷蔵庫扉内板成形金型の突出しを示す平面図である。
【図８】この発明の実施の形態１による冷蔵庫扉内板成形金型の他の突出し具を示す平面図である。
【図９】この発明の実施の形態１による冷蔵庫扉内板成形金型の動作説明図である。
【図１０】この発明の実施の形態１による冷蔵庫扉内板成形金型の動作フローチャート
【図１１】この発明の実施の形態１による冷蔵庫扉内板成形金型の突出金型側の突出し構造を示す要部拡大断面図である。
【図１２】この発明の実施の形態１による冷蔵庫扉内板成形金型の突出金型側の突出し構造を示す動作説明図である。
【図１３】この発明の実施の形態１による冷蔵庫扉内板成形金型のゲート側スライド構造を示す要部断面図である。
【図１４】この発明の実施の形態１による冷蔵庫扉内板成形金型のゲート側スライド構造を示す動作説明図である。
【図１５】この発明の実施の形態１による冷蔵庫扉内板成形金型のゲート側スライド構造で調整状態を示す要部断面図である。
【図１６】この発明の実施の形態１による冷蔵庫扉内板成形金型の他のゲート側スライド構造を示す要部断面図である。
【図１７】この発明の実施の形態１による冷蔵庫扉内板成形金型の他のゲート側スライド構造を示す動作説明図である。
【図１８】この発明の実施の形態１による他の冷蔵庫扉内板成形金型のホットランナーゲート２プレート金型方式のゲート側スライド構造を示す要部説明図である。
【図１９】この発明の実施の形態１による他の冷蔵庫扉内板成形金型のホットランナーゲート３プレート金型方式のゲート側スライド構造を示す要部説明図である。
【図２０】この発明の実施の形態１による他の冷蔵庫扉内板成形金型の他のゲート側スライド構造を示す要部説明図である。
【符号の説明】
【００４１】
１  冷蔵庫扉本体、２  縁部、３  扉外板、４  扉内板、４ａ  内板平面部、４ｂ  ポケット装着部、４ｃ  ガスケット保持溝部、４ｄ  ポケット凸部、４ｅ  内板中空肉盗み部、４ｆ  駒倒れリブ部、４ｇ  アンダーカット挿入部、４ｈ  ガスケット食込み片、４ｉ  胴体部、４ｊ  底平面部、５  断熱材、６  ガスケット、７  ポケット部、８  成形金型、８ａ  ゲート金型部、８ｂ  突出金型部、８ｃ  ゲート側金型本体、８ｄ  ランナーストリッパープレイト、８ｅ  突出金型本体、８ｆ  ガスケット溝成形片、９  ゲート側金型取付板、１０  ランナー、１０ａ  ピンゲート、１１  スライドバックアップブロック、１１ａ  コイルスプリング、１１ｂ  ゲート側カム式スライド具、１２  アンギュラカム、１５  入れ子、１７  逃がし穴、１８  突出金型取付板、１９  支持脚、２０  傾斜スライド突出具、２０ａ  取付け凹部、２１  角ピン突出具、２１ａ  角ピン、２２  エジェクブロック突出具、２２ａ  エジェクタブロック、２３  固定用第３ボルト、２４  突出しバー、２５  突出具支持プレート、２６  突出具ガイドブロック、２７  ゲート金型突出しプレート、２８  引っ張り具、２９  スライダー駒、３０  駒ガイドレール、３１  ゲート側傾斜スライド具、３２  ゲート金型スペーサーブロック、３３  スライド戻し具、３４  バックアップブロック側シリンダー、３５  ゲート側スライド具シリンダー。
【図１】
2007008113.tif 000003
【図２】
2007008113.tif 000004
【図３】
2007008113.tif 000005
【図４】
2007008113.tif 000006
【図５】
2007008113.tif 000007
【図６】
2007008113.tif 000008
【図７】
2007008113.tif 000009
【図８】
2007008113.tif 000010
【図９】
2007008113.tif 000011
【図１０】
2007008113.tif 000012
【図１１】
2007008113.tif 000013
【図１２】
2007008113.tif 000014
【図１３】
2007008113.tif 000015
【図１４】
2007008113.tif 000016
【図１５】
2007008113.tif 000017
【図１６】
2007008113.tif 000018
【図１７】
2007008113.tif 000019
【図１８】
2007008113.tif 000020
【図１９】
2007008113.tif 000021
【図２０】
2007008113.tif 000022